(57)【特許請求の範囲】
【請求項１】
熱交換器がクロスフローファンを囲って配置され、前記クロスフローファンが、該クロスフローファンの回転軸と、ファンモーターの出力軸とを同軸上に一致させて連結される壁掛け型空気調和装置において、
前記ファンモーターを軸方向に引き出し可能なメンテナンススペースを、前記ファンモーターの一端側に備え、
前記ファンモーターを一端側から保持する保持部材を備え、この保持部材が、前記ファンモーターに一端側から宛がわれて、周方向への回転により着脱され、
前記クロスフローファンで送風される空気の吹出口を設け、前記クロスフローファンの回転軸と、前記ファンモーターの出力軸とを連結する連結部を前記吹出口から取り外し可能に設けたことを特徴とする壁掛け型空気調和装置。
【請求項２】
熱交換器がクロスフローファンを囲って配置され、前記クロスフローファンが、該クロスフローファンの回転軸と、ファンモーターの出力軸とを同軸上に一致させて連結される壁掛け型空気調和装置において、
前記ファンモーターを軸方向に引き出し可能なメンテナンススペースを、前記ファンモーターの一端側に備え、
前記ファンモーターを一端側から保持する保持部材を備え、この保持部材が、前記ファンモーターに一端側から宛がわれて、周方向への回転により着脱され、
前記熱交換器の一端側に配管された冷媒配管のドレンを受ける配管用ドレンパンと、前記クロスフローファンを支持するフレームとで、一端が開放した略円筒状のファンモーター収容部を形成し、
前記ファンモーター収容部に、前記ファンモーターを軸方向に着脱自在に配置したことを特徴とする壁掛け型空気調和装置。
【請求項３】
熱交換器がクロスフローファンを囲って配置され、前記クロスフローファンが、該クロスフローファンの回転軸と、ファンモーターの出力軸とを同軸上に一致させて連結される壁掛け型空気調和装置において、
前記ファンモーターを軸方向に引き出し可能なメンテナンススペースを、前記ファンモーターの一端側に備え、
前記ファンモーターを一端側から保持する保持部材を備え、この保持部材が、前記ファンモーターに一端側から宛がわれて、周方向への回転により着脱され、
前記保持部材は、前記クロスフローファンを支持するフレームに周方向に回転して係合する係合部材と、ねじとによって固定されることを特徴とする壁掛け型空気調和装置。
【請求項４】
前記クロスフローファンで送風される空気の吹出口を設け、
前記クロスフローファンの回転軸と、前記ファンモーターの出力軸とを連結する連結部を前記吹出口から取り外し可能に設けたことを特徴とする請求項２又は３に記載の壁掛け型空気調和装置。
【請求項５】
前記ファンモーターの一端側に電装ボックスが装着され、この電装ボックスが取り外されたときに、前記ファンモーターの一端が露出するように構成されていることを特徴とする請求項１乃至４のいずれかに記載の壁掛け型空気調和装置。
【請求項６】
前記熱交換器の一端側に配管された冷媒配管のドレンを受ける配管用ドレンパンと、前記クロスフローファンを支持するフレームとで、一端が開放した略円筒状のファンモーター収容部を形成し、
前記ファンモーター収容部に、前記ファンモーターを軸方向に着脱自在に配置したことを特徴とする請求項３乃至５のいずれかに記載の壁掛け型空気調和装置。
【発明の詳細な説明】
【技術分野】
【０００１】
本発明は、クロスフローファンを駆動するファンモーターを備えた壁掛け型空気調和装置に関する。
【背景技術】
【０００２】
従来、壁掛け型空気調和装置において、クロスフローファンを備え、このクロスフローファンの軸方向一端側に、ファンモーターを設けたものが知られている（例えば、特許文献１参照）。この壁掛け型空気調和装置では、クロスフローファンを囲うように熱交換器が配置され、この熱交換器の一端側に冷媒配管が配管されているものの、クロスフローファン及び熱交換器の一端側には十分なスペースがあるため、熱交換器を取り外すことなくファンモーターを着脱できるようになっている。ファンモーターは、半環状の上部材が半環状の下部材にヒンジを介して回動可能に連結された保持部材によって挟まれて固定されている。
【先行技術文献】
【特許文献】
【０００３】
【特許文献１】特開２００１−１５３３９２号公報
【発明の概要】
【発明が解決しようとする課題】
【０００４】
しかしながら、上記従来の構成では、ファンモーターを着脱する際には、保持部材の上部材を回動させる必要があるため、ファンモーターを着脱するためのメンテナンススペースが大きかった。したがって、例えば壁掛け型空気調和装置の能力を大きくし、熱交換器の一端側に冷媒配管の配管スペースを大きく取った場合には、ファンモーターのメンテナンススペースを確保できず、その結果、ファンモーターを着脱する際には、熱交換器を取り外さなければならなかった。
本発明は、上述した事情に鑑みてなされたものであり、熱交換器を取り外すことなくファンモーターを着脱できる壁掛け型空気調和装置を提供することを目的とする。
【課題を解決するための手段】
【０００５】
上記目的を達成するために、本発明は、熱交換器がクロスフローファンを囲って配置され、前記クロスフローファンが、該クロスフローファンの回転軸と、ファンモーターの出力軸とを同軸上に一致させて連結される壁掛け型空気調和装置において、前記ファンモーターを軸方向に引き出し可能なメンテナンススペースを、前記ファンモーターの一端側に備え、前記ファンモーターを一端側から保持する保持部材を備え、この保持部材が、前記ファンモーターに一端側から宛がわれて、周方向への回転により着脱され、前記クロスフローファンで送風される空気の吹出口を設け、前記クロスフローファンの回転軸と、前記ファンモーターの出力軸とを連結する連結部を前記吹出口から取り外し可能に設けたことを特徴とする。
上記構成によれば、ファンモーターを軸方向に引き出し可能なメンテナンススペースを、ファンモーターの一端側に備えたため、軸方向の動作でファンモーターを着脱できるので、ファンモーターのメンテナンススペースを小さくでき、その結果、熱交換器を取り外すことなくファンモーターを着脱できる。
また、上記構成によれば、ファンモーターを一端側から保持する保持部材を備え、この保持部材が、ファンモーターに一端側から宛がわれて、周方向への回転により着脱されるため、周方向への回転で保持部材を着脱できるので、ファンモーターのメンテナンススペースを小さくできる。
また、上記構成によれば、クロスフローファンの回転軸と、ファンモーターの出力軸とを連結する連結部を吹出口から取り外し可能に設けたため、クロスフローファンの回転軸とファンモーターの出力軸とを吹出口から連結・解放できるので、熱交換器を取り外すことなくファンモーターを着脱できる。
【０００６】
また、本発明は、熱交換器がクロスフローファンを囲って配置され、前記クロスフローファンが、該クロスフローファンの回転軸と、ファンモーターの出力軸とを同軸上に一致させて連結される壁掛け型空気調和装置において、前記ファンモーターを軸方向に引き出し可能なメンテナンススペースを、前記ファンモーターの一端側に備え、前記ファンモーターを一端側から保持する保持部材を備え、この保持部材が、前記ファンモーターに一端側から宛がわれて、周方向への回転により着脱され、前記熱交換器の一端側に配管された冷媒配管のドレンを受ける配管用ドレンパンと、前記クロスフローファンを支持するフレームとで、一端が開放した略円筒状のファンモーター収容部を形成し、前記ファンモーター収容部に、前記ファンモーターを軸方向に着脱自在に配置したことを特徴とする。
上記構成によれば、ファンモーターを軸方向に引き出し可能なメンテナンススペースを、ファンモーターの一端側に備えたため、軸方向の動作でファンモーターを着脱できるので、ファンモーターのメンテナンススペースを小さくでき、その結果、熱交換器を取り外すことなくファンモーターを着脱できる。
また、上記構成によれば、ファンモーターを一端側から保持する保持部材を備え、この保持部材が、ファンモーターに一端側から宛がわれて、周方向への回転により着脱されるため、周方向への回転で保持部材を着脱できるので、ファンモーターのメンテナンススペースを小さくできる。
また、上記構成によれば、熱交換器の一端側に配管された冷媒配管のドレンを受ける配管用ドレンパンと、クロスフローファンを支持するフレームとで、一端が開放した略円筒状のファンモーター収容部を形成し、ファンモーター収容部に、ファンモーターを軸方向に着脱自在に配置したため、軸方向の動作でファンモーターを着脱できるので、ファンモーターのメンテナンススペースを小さくできる。
【０００７】
また、本発明は、熱交換器がクロスフローファンを囲って配置され、前記クロスフローファンが、該クロスフローファンの回転軸と、ファンモーターの出力軸とを同軸上に一致させて連結される壁掛け型空気調和装置において、前記ファンモーターを軸方向に引き出し可能なメンテナンススペースを、前記ファンモーターの一端側に備え、前記ファンモーターを一端側から保持する保持部材を備え、この保持部材が、前記ファンモーターに一端側から宛がわれて、周方向への回転により着脱され、前記保持部材は、前記クロスフローファンを支持するフレームに周方向に回転して係合する係合部材と、ねじとによって固定されることを特徴とする。
上記構成によれば、ファンモーターを軸方向に引き出し可能なメンテナンススペースを、ファンモーターの一端側に備えたため、軸方向の動作でファンモーターを着脱できるので、ファンモーターのメンテナンススペースを小さくでき、その結果、熱交換器を取り外すことなくファンモーターを着脱できる。
また、上記構成によれば、ファンモーターを一端側から保持する保持部材を備え、この保持部材が、ファンモーターに一端側から宛がわれて、周方向への回転により着脱されるため、周方向への回転で保持部材を着脱できるので、ファンモーターのメンテナンススペースを小さくできる。
また、上記構成によれば、保持部材は、クロスフローファンを支持するフレームに周方向に回転して係合する係合部材と、ねじとによって固定されるため、複数箇所にねじ止めされる場合に比べ、部品点数を削減して製造工程を簡素化できる。
【０００８】
上記構成において、前記クロスフローファンで送風される空気の吹出口を設け、前記クロスフローファンの回転軸と、前記ファンモーターの出力軸とを連結する連結部を前記吹出口から取り外し可能に設けてもよい。
上記構成によれば、クロスフローファンの回転軸と、ファンモーターの出力軸とを連結する連結部を吹出口から取り外し可能に設けたため、クロスフローファンの回転軸とファンモーターの出力軸とを吹出口から連結・解放できるので、熱交換器を取り外すことなくファンモーターを着脱できる。
【０００９】
上記構成において、前記ファンモーターの一端側に電装ボックスが装着され、この電装ボックスが取り外されたときに、前記ファンモーターの一端が露出するように構成されてもよい。
上記構成によれば、電装ボックスが取り外されたときに、ファンモーターの一端が露出するように構成されるため、電装ボックスを取り外すだけでファンモーターのメンテナンススペースを確保できるので、電装ボックスの配置スペースをファンモーターのメンテナンススペースとして有効利用でき、ファンモーターのメンテナンススペースを別に設ける場合に比べ、壁掛け型空気調和装置を小型化できる。
【００１０】
上記構成において、前記熱交換器の一端側に配管された冷媒配管のドレンを受ける配管用ドレンパンと、前記クロスフローファンを支持するフレームとで、一端が開放した略円筒状のファンモーター収容部を形成し、前記ファンモーター収容部に、前記ファンモーターを軸方向に着脱自在に配置してもよい。
上記構成によれば、熱交換器の一端側に配管された冷媒配管のドレンを受ける配管用ドレンパンと、クロスフローファンを支持するフレームとで、一端が開放した略円筒状のファンモーター収容部を形成し、ファンモーター収容部に、ファンモーターを軸方向に着脱自在に配置したため、軸方向の動作でファンモーターを着脱できるので、ファンモーターのメンテナンススペースを小さくできる。
【発明の効果】
【００１１】
本発明によれば、ファンモーターを軸方向に引き出し可能なメンテナンススペースを、ファンモーターの一端側に備えたため、軸方向の動作でファンモーターを着脱できるので、ファンモーターのメンテナンススペースを小さくでき、その結果、熱交換器を取り外すことなくファンモーターを着脱できる。
【図面の簡単な説明】
【００１２】
【図１】本発明の実施の形態に係る壁掛け型空気調和装置の断面図である。
【図２】壁掛け型空気調和装置の分解斜視図である。
【図３】壁掛け型空気調和装置の外観斜視図である。
【図４】熱交換器をフレームに配設した状態を示す斜視図である。
【図５】図４のファンモーター周辺を拡大して示す図である。
【図６】図５のファンモーターに軸受けを取り付けた状態を示す図である。
【発明を実施するための形態】
【００１３】
以下、図面を参照して本発明の実施の形態について説明する。
図１は本発明を適用した実施の形態に係る壁掛け型空気調和装置の断面図であり、図２は壁掛け型空気調和装置の分解斜視図である。
壁掛け型空気調和装置１は、断面略Ｃ字状に形成されたフィンアンドチューブ型の熱交換器２をフレーム３に配設し、この熱交換器２の内側にクロスフローファン４を配置して構成され、熱交換器２にはグリル１０を被せられる。フレーム３は樹脂成形により断面略Ｌ字状に形成された部材であり、熱交換器２から流下するドレン水を受けるドレンパン３１、及び、クロスフローファン４を収容するスクロール部３２を備え、フレーム３の背面には、据付板５０の係止爪５１を受ける凹部が形成されている。このフレーム３及びグリル１０によって壁掛け型空気調和装置１の筐体が構成される。
フレーム３と据付板５０、及び、フレーム３とグリル１０とは互いにビスにより連結され、ビス止め作業を行うためのサービスホール１５がグリル１０の下面に開口している。サービスホール１５は、通常使用時においてはビスキャップ１４により塞がれている。
【００１４】
クロスフローファン４は、フレーム３に設けられた舌部４８とスクロール部３２との間に収められ、クロスフローファン４の両端が、ベアリング４３を有する軸受け部４４と、軸受け部４５とを介してフレーム３により支持される。
クロスフローファン４の一端にはファンモーター４６が連結され、ファンモーター４６が、軸受け（保持部材）４７を介してフレーム３に取り付けられている。より詳細に説明すると、クロスフローファン４の回転軸４Ａは円形プレート状であり、この円形プレートに対して放射状にブレード４０が嵌合されている。ファンモーター４６の出力軸４６Ａは、クロスフローファン４の回転軸４Ａに設けられた円筒軸受４１に挿入され、セットスクリュー（連結部）４２によって、この円筒軸受４１と出力軸４６Ａとが締結される。
【００１５】
ファンモーター４６の一端側（本実施の形態では、前面から見て右側）には電装ボックス５５が配置される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１６】
グリル１０には上面吸込口１１及び前面吸込口１２が開口し、前面吸込口１２を覆うように前面パネル１６が取り付けられる。
クロスフローファン４は、上面吸込口１１及び前面吸込口１２から熱交換器２を介して室内空気を吸い込み、熱交換器２において熱交換された空気を、スクロール部３２と舌部４８との間の空間Ｒを通じて、壁掛け型空気調和装置１の下面に開口する吹出口１３から被調和室内に吹き出す。
吹出口１３には風向変更用の横羽根としての２枚のフラップ６０、６０が設けられる。フラップ６０はフラップ軸６１を有し、このフラップ軸６１を中心として上下に回動する。２枚のフラップ６０、６０は、フラップ駆動モーター６３によって連動して駆動され、吹出口１３を開閉するとともに、吹出口１３からの風向を上下方向において設定する。
【００１７】
また、スクロール部３２の出口側には、風向変更用の複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（不図示）に連結され、この縦羽根駆動モーターの動作または操作レバー８６の操作に応じて、左右に向きを変える。
そして、縦羽根８５とフラップ６０との間に、ファンガード７０が設けられている。ファンガード７０は、吹出口１３の長手方向に沿って、互いに平行に掛け渡された２本のワイヤー７１、７１と、これらワイヤー７１、７１の端を束ねる支持体７２、７３とを備えて構成される。ファンガード７０は、ワイヤー７１、７１によって、吹出口１３の奥へ手を差し入れることができないようにする。
【００１８】
図３は壁掛け型空気調和装置１を下方から見た斜視図である。なお、この図３においては理解の便宜のためにフラップ６０の図示を省略する。
ファンガード７０の支持体７２は、長手形状の吹出口１３の一端側に取り付けられ、吹出口１３の他端側には支持体７３が取り付けられる。
また、吹出口１３には、長手方向に三等分するように、フラップ６０を支持する２つの支柱６５が設けられる。支柱６５は、吹出口１３の上縁部１３ａと下縁部１３ｂとの間に掛け渡され、２枚のフラップ６０、６０のフラップ軸６１、６１が差し込まれる２つの支持穴６６、６６を有する。吹出口１３の両端には、それぞれ、フラップ６０を取り付けるためのフラップ支持部６８が設けられ、これら２つのフラップ支持部６８の各々は、２枚のフラップ６０、６０のフラップ軸６１、６１が差し込まれる支持穴６９、６９が形成される。つまり、フラップ６０は、２つの支柱６５及び２つのフラップ支持部６８により、回動可能に支持される。そして、ファンガード７０は、ワイヤー７１が、フラップ６０が取り付けられる支持穴６６、６９よりも奥で、かつ、縦羽根８５よりも前に位置するように取り付けられる。
【００１９】
以下、ファンモーター４６の取り付け構造について詳細に説明する。
図４は、熱交換器２をフレーム３に配設した状態を示す斜視図であり、グリル１０及び電装ボックス５５を省略している。図５は、図４のファンモーター４６周辺を拡大して示す図である。図６は、図５のファンモーター４６を軸受け４７で固定した状態を示す図である。
熱交換器２の一端側には、熱交換器２の一端側に配管される冷媒配管２０から流下するドレン水を受ける配管用ドレンパン２１が固定されている。配管用ドレンパン２１は、背面から前面に向けて延出するとともに下方に向けて略半円状に膨らんで湾曲し、前面側のドレンパン３１の上方まで延びており、冷媒配管２０からのドレンをドレンパン３１に案内する機能を有している。
【００２０】
フレーム３には、スクロール部３２の一端側にファンモーター４６を固定するファンモーター固定部３４が設けられている。ファンモーター固定部３４は、側面視で略半円状に形成されており、このファンモーター固定部３４と配管用ドレンパン２１とによって、一端が開放した略円筒状のファンモーター収容部４９が形成される。すなわち、ファンモーター収容部４９は、ファンモーター４６を軸方向に着脱可能に形成されており、このファンモーター収容部４９に、ファンモーター４６が収容される。
【００２１】
ファンモーター固定部３４には、背面側に軸受け４７と係合する係合部３４Ａが形成されている。係合部３４Ａは、ファンモーター固定部３４の背面側上部から径方向内側に向けて突出し、平面視で略コ字状に形成されており、その端面である係合板３４Ａ１がファンモーター固定部３４に略平行に配置されている。ファンモーター固定部３４の前面側には、軸受け４７をねじ止めするためのボス３４Ｂが設けられている。ボス３４Ｂは、後下がりに傾斜して設けられており、このボス３４Ｂにねじ孔３４Ｂ１が形成されている。
【００２２】
また、フレーム３には、ファンモーター固定部３４の一端側に電装ボックス組付部３５が設けられており、この電装ボックス組付部３５において電装ボックス５５（図２参照）がフレーム３に組み付けられる。電装ボックス組付部３５は、ファンモーター固定部３４より背面側に形成されており、ファンモーター４６が引き出された際に、ファンモーター４６と接触しないように構成されている。この電装ボックス組付部３５と、配管用ドレンパン２１及びファンモーター固定部３４（ファンモーター収容部４９）とによって、ファンモーター４６のメンテナンススペースＳが確保されている。
【００２３】
ファンモーター４６の一端には、軸方向に突出する凸部４６Ｂが形成されている。この凸部４６Ｂは、側面視で略円形に形成され、ファンモーター４６の出力軸４６Ａ（図２）と同軸となるように設けられている。
軸受け４７は、側面視でファンモーター４６の外形より小さく形成されており、軸受け４７の他端側中央部には、側面視で略円形に凹んだ嵌合部４７Ａが設けられている。嵌合部４７Ａは、その外形がファンモーター４６の凸部４６Ｂと略同一に形成されており、この嵌合部４７Ａに凸部４６Ｂが嵌合される。
【００２４】
軸受け４７の一端側には、ファンモーター固定部３４の係合部３４Ａに係合する挿通部（係合部材）４７Ｂが形成されている。挿通部４７Ｂは、嵌合部４７Ａより大きい同心円に沿って周方向に延出する鉤状のものであり、比較的薄く形成されている。挿通部４７Ｂの基部には、挿通部４７Ｂに沿って延びる爪部４７Ｂ１が設けられ、挿通部４７Ｂの延出方向中央部には、軸方向に沿って突起部４７Ｂ２が形成されている。また、軸受け４７の軸中心に対して挿通部４７Ｂと反対側には、径方向に延びる係止片４７Ｃが形成され、係止片４７Ｃに、軸受け４７をファンモーター固定部３４にねじ止めするねじ３６を貫通させる貫通孔４７Ｃ１が形成されている。
また、軸受け４７の一端側には、ファンモーター４６の配線を案内する案内溝４７Ｄと、案内溝４７Ｄで案内された配線を係止する配線係止部４７Ｅが形成されている。
【００２５】
このように構成された壁掛け型空気調和装置１は、壁等に据え付けられた状態で、グリル１０及び電装ボックス５５が取り外された後に、ファンモーター４６の着脱が行われる。電装ボックス５５が取り外されると、ファンモーター収容部４９が露出し、ファンモーター収容部４９の一端側にファンモーター４６を軸方向に引き出し可能なメンテナンススペースＳが確保される。このように、ファンモーター４６を軸方向に引き出し可能なメンテナンススペースＳを、ファンモーター４６の一端側に備えたため、軸方向の動作でファンモーター４６を着脱できるので、ファンモーター４６のメンテナンススペースＳを小さくでき、その結果、熱交換器２を取り外すことなくファンモーター４６を着脱できる。また、電装ボックス５５を取り外すだけでファンモーター４６のメンテナンススペースＳを確保できるので、壁掛け型空気調和装置１は、電装ボックス５５の配置スペースをファンモーター４６のメンテナンススペースＳとして有効利用でき、ファンモーター４６のメンテナンススペースＳを別に設ける場合に比べ、壁掛け型空気調和装置１を小型化できる。
【００２６】
ファンモーター収容部４９は、ファンモーター４６を軸方向に着脱可能に形成されるので、ファンモーター４６は、ファンモーター収容部４９に一端側から軸方向に挿入されて収容され、クロスフローファン４（図２）に連結される。このとき、図２に示すように、ファンモーター４６の出力軸４６Ａは、クロスフローファン４の回転軸４Ａに設けられた円筒軸受４１に挿入される。ファンモーター４６は、ファンモーター収容部４９に収容されているので、作業者は、軸受け４７から手を離すことができ、クロスフローファン４の側面から螺入されるセットスクリュー４２によって、ファンモーター４６の出力軸４６Ａをクロスフローファン４の回転軸４Ａに容易に固定できる。
【００２７】
セットスクリュー４２は、図１に示すように、吹出口１３及びこの吹出口１３から連通する空間Ｒから取り外し可能な位置に配置されているので、作業者は、熱交換器２を取り外すことなく、吹出口１３からドライバーを挿入してセットスクリュー４２を操作できる。なお、吹出口１３からセットスクリュー４２を操作する際には、吹出口１３に設けられた２枚のフラップ６０、６０は取り外される。
【００２８】
図６に示すように、軸受け４７を一端側からファンモーター４６に宛がい、ファンモーター４６の凸部４６Ｂを軸受け４７の嵌合部４７Ａに嵌合させ、周方向に回転（本実施の形態では、右側面視で左回転）させると、軸受け４７の挿通部４７Ｂがファンモーター固定部３４の係合部３４Ａに係合されるとともに、係止片４７Ｃがファンモーター固定部３４のボス３４Ｂに当接する。このとき、挿通部４７Ｂは、比較的薄く形成されているので、径方向内側に向けて弾性変形し、挿通部４７Ｂの突起部４７Ｂ２が係合部３４Ａの係合板３４Ａ１を乗り越え、爪部４７Ｂ１が係合板３４Ａ１の内側に挿入されることにより、係合部３４Ａに係合される。
【００２９】
軸受け４７は、挿通部４７Ｂと係合部３４Ａとの係合によって位置決め、かつ、仮止めされているので、作業者は、軸受け４７から手を離すことができ、軸受け４７の係止片４７Ｃをねじ３６によってファンモーター固定部３４のボス３４Ｂに容易に固定できる。このボス３４Ｂは、後下がりに傾斜して設けられているので、ねじ３６は、鉛直下方に対して前方に傾斜した方向に向かうこととなる。このため、作業者は、ドライバーによってねじ３６を操作する際、ねじ３６の頭頂部が鉛直上方を向いている場合と比較して、ドライバーの先端をねじ３６の頭頂部に接触させやすく、作業性がよい。
軸受け４７は、挿通部４７Ｂ及び１本のねじ３６のみによって固定されるため、複数箇所にねじ止めされる場合に比べ、部品点数を削減して製造工程を簡素化できる。
【００３０】
このように、ファンモーター４６は、軸方向の動作でファンモーター収容部４９に着脱され、ファンモーター４６の外形より小さい軸受け４７を周方向に回転することにより固定されるので、ファンモーター４６のメンテナンススペースＳを小さくできる。また、ファンモーター収容部４９は、配管用ドレンパン２１の下方に位置するので、例えば、壁掛け型空気調和装置１の能力を向上させるべく冷媒配管２０の配管スペースをファンモーター４６の軸方向に大きく取っても、ファンモーター４６のメンテナンススペースＳを確保でき、熱交換器２を取り外すことなくファンモーター４６を着脱できる。
【００３１】
以上説明したように、本実施の形態によれば、ファンモーター４６を軸方向に引き出し可能なメンテナンススペースＳを、ファンモーター４６の一端側に備えたため、軸方向の動作でファンモーター４６を着脱できるので、ファンモーター４６のメンテナンススペースＳを小さくでき、その結果、熱交換器２を取り外すことなくファンモーター４６を着脱できる。
【００３２】
また、本実施の形態によれば、ファンモーター４６を一端側から保持する軸受け４７を備え、この軸受け４７が、ファンモーター４６に一端側から宛がわれて、周方向への回転により着脱されるため、周方向への回転で軸受け４７を着脱できるので、ファンモーター４６のメンテナンススペースＳを小さくできる。
【００３３】
また、本実施の形態によれば、クロスフローファン４の回転軸４Ａと、ファンモーター４６の出力軸４６Ａとを連結するセットスクリュー４２を吹出口１３から取り外し可能に設けたため、クロスフローファン４の回転軸４Ａとファンモーター４６の出力軸４６Ａとを吹出口１３から連結・解放できるので、熱交換器２を取り外すことなくファンモーター４６を着脱できる。
【００３４】
また、本実施の形態によれば、電装ボックス５５が取り外されたときに、ファンモーター４６の一端が露出するように構成されるため、電装ボックス５５を取り外すだけでファンモーター４６のメンテナンススペースＳを確保できるので、電装ボックス５５の配置スペースをファンモーター４６のメンテナンススペースＳとして有効利用でき、ファンモーター４６のメンテナンススペースＳを別に設ける場合に比べ、壁掛け型空気調和装置１を小型化できる。
【００３５】
また、本実施の形態によれば、熱交換器２の一端側に配管された冷媒配管２０のドレンを受ける配管用ドレンパン２１と、クロスフローファン４を支持するフレーム３に形成されたファンモーター固定部３４とで、一端が開放した略円筒状のファンモーター収容部４９を形成し、このファンモーター収容部４９に、ファンモーター４６を軸方向に着脱自在に配置したため、軸方向の動作でファンモーター４６を着脱できるので、ファンモーター４６のメンテナンススペースＳを小さくできる。
【００３６】
さらに、本実施の形態によれば、軸受け４７は、クロスフローファン４を支持するフレーム３に周方向に回転して係合する挿通部４７Ｂと、ねじ３６とによって固定されるため、複数箇所にねじ止めされる場合に比べ、部品点数を削減して製造工程を簡素化できる。
【００３７】
但し、上記実施の形態は本発明の一態様であり、本発明の趣旨を逸脱しない範囲において適宜変更可能であるのは勿論である。
例えば、上記実施の形態では、係合部材を鉤状の挿通部４７Ｂとして説明したが、係合部材は、ファンモーター固定部３４に周方向に回転して係合できるものであればこれに限定されない。
【符号の説明】
【００３８】
１  壁掛け型空気調和装置
２  熱交換器
３  フレーム
４  クロスフローファン
４Ａ  回転軸
１３  吹出口
２０  冷媒配管
２１  配管用ドレンパン
３６  ねじ
４２  セットスクリュー（連結部）
４６  ファンモーター
４６Ａ  出力軸
４７  軸受け（保持部材）
４７Ｂ  挿通部（係合部材）
４９  ファンモーター収容部
５５  電装ボックス
Ｓ  メンテナンススペース
【図１】
0005436981.tif 000002
【図２】
0005436981.tif 000003
【図３】
0005436981.tif 000004
【図４】
0005436981.tif 000005
【図５】
0005436981.tif 000006
【図６】
0005436981.tif 000007